(57)【特許請求の範囲】
【請求項１】
Ｏリングとネジ構成を介して筐体に装着されることにより、電池収納室の全域を防滴・防水仕様を実現して覆う電池蓋を備えた電池収納装置において、少なくとも一本の電池からなる第１電池を短手方向収納動作により収納する第１収納室と、前記第１収納室の長手軸と互いの略中央で立体的に交差する方向の長手軸を有し、前記第１電池以外の少なくとも一本の電池からなる第２電池を短手方向収納動作により収納する第２収納室とを備え、前記電池蓋の外径が実質的に前記Oリングを押圧する直径であることを特徴とした電池収納装置。
【請求項２】
第１収納室は、２本の電池を、短手方向収納動作時に互いに重ならないように並置し、第２収納室は、２本の電池を、短手方向収納動作時に互いに重ならないように並置する請求項１に記載の電池収納装置。
【請求項３】
請求項１乃至２に記載の電池収納装置を備えたことを特徴とする防水型電子機器。
【発明の詳細な説明】
【０００１】
【発明の属する技術分野】
本発明は、電源として交換できる複数本の電池を使用する電子機器において上記複数本の電池を収納する電池収納装置およびこの電池収納装置を備えた防水型電子機器に関し、特に防滴・防水仕様に適した電池収納装置およびこの電池収納装置を備えた防水型電子機器に関するものである。
【０００２】
【従来の技術】
交換できる複数本の電池を電源として使用するために当該電池を収納する電池収納装置およびこの電池収納装置を備えた電子機器は、多種多様のものが提案あるいは実用化されている。
【０００３】
防滴・防水仕様の電池収納装置あるいはこの電池収納装置を備えた防水型電子機器も例外ではなく、もちろんこれらの外装構成は、電池を交換するための電池蓋を含んで防滴・防水を実現する密閉構造を形成している。
【０００４】
ここで、複数本の電池を収納する電池収納装置の構成について見てみると、通常、電池収納開口を備えると共に電池が収納される収納空間を形成するいわゆる電池室と上記電池収納開口を覆う電池蓋とから形成されている。
【０００５】
さらに、かかる電池収納装置は、例えば電池の収納動作により２種に分けることができ、すなわち電池の長手方向への収納動作により電池を収納する構成と電池の短手方向への収納動作により電池を収納する構成とに分けることができる。
【０００６】
前者の長手方向収納構成は、電池収納開口と対向する位置と電池蓋とに電池の電極と接触する電池接片を備えた構造が一般的であり、後者の短手方向収納構成は、電池収納開口に連なる相対向する２面に電池の電極と接触する電池接片を備え、電池蓋には電池接片を設けない構造が一般的であり、両構成は、内蔵される電子機器の形状等に基づいて選択使用されていた。
【０００７】
【発明が解決しようとする課題】
ところで、電池収納装置を備えた電子機器において防滴・防水仕様が要求される場合、電池収納装置は、先にも述べたように電池を交換するための電池蓋を含んで防滴・防水を実現する密閉構造を形成する必要がある。
【０００８】
かかる場合、電池の収納動作により電池収納装置の構成を考えると、短手方向収納構成が長手方向収納構成に比して有利となる。
【０００９】
電池接片は、通常、弾性力を備え、かつ発揮できるように構成されるものであり、このため長手方向収納構成の場合、電池収納時には常に電池蓋が電池接片の弾性力により付勢されることになり、一方、かかる付勢は当然のことながら電池蓋を電池収納開口から離反させる方向への付勢となり、すなわち防滴・防水仕様の実現には逆行してしまう付勢となってしまうのに対し、短手方向収納構成の場合、電池蓋に電池接片が設けられないため上述したように電池蓋が電池接片の弾性力にて付勢されることはなく、よって防滴・防水仕様の実現には有利となる。
【００１０】
しかしながら、短手方向収納構成においても、例えば電源として使用する電池が複数本、例えば４本の電池を収納するような場合、防滴・防水仕様の実現には防滴・防水個所自体の小型化と共に角部を含まない構成が有利となることを考慮すると、以下のような不都合を生じることが考えられる。
【００１１】
すなわち、４本の電池を平面的に整列させられる矩形電池室にて収納する構成とした場合、スペースの有効利用の観点から電池蓋の形状も矩形形状に構成すると角部が生じ、この角部における防滴・防水仕様の実現面で不利となる。
【００１２】
電池蓋の形状を円形状とすれば角部が無くなり防滴・防水仕様の実現には有利となるが、かかる場合、平面的に整列した４本の電池を十分に含む大きさの円形状が必要となり、電池蓋がいたずらに大型化してしまい、大きさ面で防滴・防水仕様の実現には不利となる不都合を生じることになる。
【００１３】
逆に電池を重ねて収納する構成とした場合、電池蓋がいたずらに大型化することはないが、今度は電池の装・脱の面で不都合を生じることが考えられる。
【００１４】
すなわち、前述したように電池接片が弾性力を備えて形成されることから、電池の装・脱のいずれの場合にも、奥に装着される電池が手前に装着される電池用の電池接片に当接することが考えられ、装・脱作業が困難となると共に、ともすれば電池接片を変形させてしまう不都合を生じることも考えられる。
【００１５】
なお、複数本の電池を補助ケースに収納し、この電池が収納された補助ケースをさらに電池収納装置に収納する展開も周知であるが、当然のことながら上記補助ケースの閉める空間だけ電池収納装置としての形状が大型化することになるとと共に、補助ケースへの電池の装・脱も決して容易とはいえなかった。
【００１６】
本発明は上述したような諸点を考慮してなしたもので、複数本の電池の装・脱が容易であり、かつ円形状に構成した電池蓋をいたずらに大型化することなく防滴・防水仕様を有利に実現できる電池収納装置およびこの電池収納装置を備えた防水型電子機器を提供することを目的とする。
【００１７】
【課題を解決するための手段】
本発明による電池収納装置およびこの電池収納装置を備えた防水型電子機器は、少なくとも一本の電池からなる第１電池を短手方向収納動作により収納する第１収納室と、該第１収納室の長手軸に交差する方向の長手軸を有し、かつ上記第１収納室に立体的に重なって形成され、上記第１電池以外の少なくとも一本の電池からなる第２電池を短手方向収納動作により収納する第２収納室と、上記第１、第２収納室を形成する筐体に対して装脱でき、かつ装着時に上記第１、第２収納室の全域を覆うように形成された円形状の電池蓋とを備えている。
【００１８】
これにより、第１もしくは第２電池の装・脱作業を、他の電池用の電池接片に対する何らの関わりも有することなく容易に行うことができ、よって第１、第２電池が他の電池用の電池接片に不用意に当接することもない。
【００１９】
【発明の実施の形態】
本発明の請求項１に記載の発明は、Ｏリングとネジ構成を介して筐体に装着されることにより、第１、第２収納室の全域を防滴・防水仕様を実現して覆うように構成した電池蓋を備え、少なくとも一本の電池からなる第１電池を短手方向収納動作により収納する第１収納室と、上記第１収納室の長手軸と互いの略中央で立体的に交差する方向の長手軸を有し、上記第１電池以外の少なくとも一本の電池からなる第２電池を短手方向収納動作により収納する第２収納室とを備え、前記電池蓋の外径が実質的に前記Oリングを押圧する直径であることを特徴としており、上記第１、第２収納室を形成する筐体に対して装脱でき、第１もしくは第２電池の装・脱作業を、他の電池用の電池接片に何ら関連することなく行えるという作用と、上記第１収納室の長手軸と上記第２収納室の長手軸を互いの略中央で立体的に交差させることにより、上記電池蓋の直径がいたずらに大型化することなく、防滴・防水仕様を実現するという作用を有する。
【００２１】
本発明による請求項２に記載の発明は、請求項１に記載の電池収納装置における第１収納室を、２本の電池を、短手方向収納動作時に互いに重ならないように並置し、第２収納室も、２本の電池を、短手方向収納動作時に互いに重ならないように並置するように構成したものであり、請求項１に記載の発明と同様の効果が得られる。
【００２４】
本発明による請求項３に記載の発明は、請求項１乃至２に記載の電池収納装置を備えた防水型電子機器における第１収納室を、２本の電池を、短手方向収納動作時に互いに重ならないように並置し、第２電池室も、２本の電池を、短手方向収納動作時に互いに重ならないように並置するように構成したものである。（実施例）図１は本発明による電池収納装置およびこの電池収納装置を備えた防水型電子機器の一実施の形態を示す略部分外観斜視図である。
【００２５】
本実施の形態は、図面からも明らかなように、図示していない別の筐体と共に電子機器の外装を形成する筐体１に、後述する電池収納装置Ｘの一部分である電池収納室を一体的に構成した例である。
【００２６】
本実施の形態における電池収納装置Ｘは、二本の電池からなる第１電池５を電池収納開口Ｙからの短手方向収納動作により互いに重ならない並置状態で収納する第１収納室２と、この第１収納室２の長手軸Ｌ２に交差する方向の長手軸Ｌ３を有し、かつ前記第１収納室に立体的に重なって（図面では上方に）形成され、第１電池５以外の二本の電池からなる第２電池６を電池収納開口Ｙからの短手方向収納動作により互いに重ならない並置状態で収納する第２収納室３と、第１、第２収納室２、３を形成する筐体１に対して装・脱でき、かつ装着時に第１、第２収納室２、３の全域を覆う円形状の電池蓋４とを備えて形成されている。
【００２７】
すなわち、電池蓋４は、筐体１の電池収納開口Ｙの周囲に設けられた起立部７のネジ部７Ａと螺合するネジ部を図示はしていないがその内周面に備えており、かかるネジ構成とＯリング８とを介して筐体１へ装着されることにより、第１、第２収納室２、３の全域を防滴・防水仕様を実現して覆うことになる。
【００２８】
第１、第２収納室２、３の両端部の電池収納開口Ｙに連なる相対向する２面には、第１、第２電池５、６の夫々の電極と接する電池接片９、１０が配置されている。なお、電池蓋４には電池接片は設けられていない。
【００２９】
したがって、第１、第２電池５、６を夫々短手方向収納動作により互いに重ならないように並置して第１、第２収納室２、３に収納したとすると、図１中に矢印ＱおよびＲで示した方向から見た略透視図である図２、図３に示したように、第１、第２電池５、６は、立体的に交差した状態で収納されることになる。
【００３０】
このため、第１、第２電池５、６の第１、第２収納室２、３への収納動作および第１、第２収納室２、３からの取出し動作という両動作を、第１電池５の第１収納室２への装・脱動作で考えると、第２収納室３に設けられた第２電池６用の電池接片１０が該当することになる第１電池５に対する他の電池の電池接片に何らの関わりも有することなく行える、すなわち容易に行うことができる。
【００３１】
この結果、第１、第２電池５、６が他の電池用の電池接片に不用意に当接することはなく、これにより第１、第２電池５、６の第１、第２収納室２、３への装・脱動作による電池接片９、１０の変形を防止できることになる。
【００３２】
【発明の効果】
本発明は、複数本の電池を立体的に交差した状態で電池収納装置内に配置することから、複数本の電池の電池収納室への装・脱動作が容易であり、かつ円形状に構成した電池蓋がいたずらに大型化することのない防滴・防水仕様を有利に実現できる電池収納装置およびこの電池収納装置を備えた防水型電子機器を提供することができる効果を有している。
【図面の簡単な説明】
【図１】本発明による電池収納装置およびこの電池収納装置を備えた防水型電子機器の一実施の形態を示す略部分外観斜視図
【図２】図１中の矢印Ｑ方向から見た略透視図
【図３】図１中の矢印Ｒ方向から見た略透視図
【符号の説明】
１  筐体
２  第１収納室
３  第２収納室
４  電池蓋
５  第１電池
６  第２電池
７  起立部
８  Ｏリング
９  電池接片
１０  電池接片
【図１】
0004401477.tif 000002
【図２】
0004401477.tif 000003
【図３】
0004401477.tif 000004